(57)【要約】【課題】傘を好適に保持することが可能なかばんを提供する。【解決手段】傘Ｕは、シート状部材１００の折り曲げられるラインＬに沿って置かれる。この状態で、面状ファスナー２０５，２０７，２１７，２１９を張り合わせ、ホック２０３と２０９、およびホック２１５と２２１を係合させることで、傘Ｕは保持部（ラインＬの位置）に保持される。【選択図】図４
2010240331.tif 000002
【特許請求の範囲】
【請求項１】
シート状の部材を折り曲げて構成されるかばんであって、
前記シート状の部材の折り曲げられるラインに沿って形成される、傘を保持することが可能な保持部と、
前記シート状の部材を折り曲げた状態で固定することが可能であり、かつその固定状態を開放することができる第１の固定部材と、
前記保持部に傘が保持された状態において、前記シート状の部材を前記傘を中心として巻いた後に、前記シート状の部材を固定することが可能であり、かつその固定状態を開放することができる第２の固定部材とを備え、
前記第１の固定部材により前記シート状の部材が折り曲げられた状態で固定されたときに、かばんの口が形成され、その口から物を出し入れすることが可能である、かばん。
【請求項２】
前記かばんの口が形成される部分に取付けられる持ち手をさらに備えた、請求項１に記載のかばん。
【請求項３】
前記持ち手は、前記第２の固定部材の一部となる、請求項２に記載のかばん。
【請求項４】
前記持ち手は、他のかばんに取付けることが可能である、請求項２または３に記載のかばん。
【請求項５】
前記かばんの口が形成される部分に設けられる、少なくとも一つの袋部材をさらに備えた、請求項１から４のいずれかに記載のかばん。
【発明の詳細な説明】
【技術分野】
【０００１】
この発明はかばんに関し、特にシート状の部材を折り曲げて構成され、傘を保持することが可能なかばんに関する。
【背景技術】
【０００２】
傘（折りたたみ傘を含む。）を保持するための傘袋や傘保持具が知られている。
【０００３】
たとえば、下記特許文献１においては、雨に濡れた傘の収納が容易で、手がふさがることが無く傘を持ち運ぶことができる傘ホルダーが開示されている。
【先行技術文献】
【特許文献】
【０００４】
【特許文献１】実開平５−２８２１８号公報
【発明の概要】
【発明が解決しようとする課題】
【０００５】
この発明は、傘を好適に保持することが可能なかばんを提供することを目的としている。
【課題を解決するための手段】
【０００６】
上記目的を達成するためにこの発明のある局面に従うと、かばんは、シート状の部材を折り曲げて構成されるかばんであって、シート状の部材を折り曲げられるラインに沿って形成される、傘を保持することが可能な保持部と、シート状の部材を折り曲げた状態で固定することが可能であり、かつその固定状態を開放することができる第１の固定部材と、保持部に傘が保持された状態において、シート状の部材を傘を中心として巻いた後に、シート状の部材を固定することが可能であり、かつその固定状態を開放することができる第２の固定部材とを備え、第１の固定部材によりシート状の部材が折り曲げられた状態で固定されたときに、かばんの口が形成され、その口から物を出し入れすることが可能である。
【０００７】
好ましくはかばんは、かばんの口が形成される部分に取付けられる持ち手をさらに備える。
【０００８】
好ましくは持ち手は、第２の固定部材の一部となる。
【０００９】
好ましくは持ち手は、他のかばんに取付けることが可能である。
【００１０】
好ましくはかばんは、かばんの口が形成される部分に設けられる、少なくとも一つの袋部材をさらに備える。
【発明の効果】
【００１１】
この発明に従うと、傘を好適に保持することが可能なかばんを提供することができる。
【図面の簡単な説明】
【００１２】
【図１】本発明の第１の実施の形態におけるかばんの正面図である。
【図２】図１のかばんの背面図である。
【図３】シート状部材１００が折り曲げられていない状態を示す平面図である。
【図４】図３の状態において傘の保持部に傘Ｕをセットした状態を示す図である。
【図５】保持部に傘が保持された状態のかばんの正面図である。
【図６】保持部に傘を保持させずに面状ファスナーとホックとを係合させた状態を示すかばんの正面図である。
【図７】かばんを他のかばんＢに取付けた状態を示す図である。
【図８】図５の状態からシート状部材１００を傘Ｕを中心として巻いた後に、シート状部材１００を固定した状態を示す図である。
【図９】本発明の第２の実施の形態におけるかばんにおいて、シート状部材４００が折り曲げられていない状態を示す平面図である。
【図１０】図９の裏面を示す平面図である。
【図１１】図９において袋部材の口を広げた状態を示す平面図である。
【図１２】第２の実施の形態において、保持部に傘を保持させずに面状ファスナーとホックとを係合させた状態を示すかばんの正面図である。
【図１３】第２の実施の形態において、シート状部材４００を傘Ｕを中心として巻いた後に、シート状部材４００を固定した状態を示す図である。
【発明を実施するための形態】
【００１３】
［第１の実施の形態］
【００１４】
図１は、本発明の第１の実施の形態におけるかばんの正面図である。
【００１５】
図を参照して、かばんは、シート状の部材１００を折り曲げて構成される。
【００１６】
シート状の部材１００は折り曲げられた状態で、面状ファスナー、ボタン、およびホックの少なくとも一つによって固定される。シート状の部材が折り曲げられた状態で固定されたときに、かばんの口が形成され、その口から物を出し入れすることが可能となっている。
【００１７】
図１に示すように、かばんは、折り曲げられたシート状部材１００と、かばんの口が形成される部分に取付けられる持ち手１０５と、シート状部材の表面に取付けられるホック１０３と、持ち手１０５のシート状部材１００から最も離れた部分に取付けられるホック１０７と、かばんの表側に取付けられるタグ１０９とを備えている。
【００１８】
図２は、図１のかばんの背面図である。
【００１９】
図を参照して、シート状部材の１００の背面側にはホック１１１が設けられている。
【００２０】
図３は、シート状部材１００が折り曲げられていない状態を示す平面図である。
【００２１】
図に示されるように、シート状部材１００のかばんの内側を構成する部分には、以下の部材が取付けられている。すなわち、かばんの側部を構成するラインに沿って面状ファスナー２０１，２０５，２０７，２１１，２１３，２１７，２１９，２２３と、ホック２０３，２０９，２１５，２２１とが取付けられている。面状ファスナー２０１と面状ファスナー２１１とはそのいずれか一方が鍵（フック）状であり、他方がループ状である。面状ファスナー２１３と面状ファスナー２２３とに関しても同様である。また、面状ファスナー２０５と面状ファスナー２０７との関係、面状ファスナー２１７と面状ファスナー２１９との関係も同様である。
【００２２】
かばんの内側には、防水シート（または吸水シート）２２５が貼りつけられている。
【００２３】
また、ホック２０３とホック２０９とは互いに係合することが可能な形状を示している。ホック２１５とホック２２１との関係も同様である。
【００２４】
このように、シート状部材１００のかばんの内側を構成する部分には、折り曲げラインＬを中心として対称に面状ファスナーとホックとが取付けられているため、それぞれの面状ファスナーとホックとを対応させて固定することで、シート状部材１００が折り曲げられ、その口から物を出し入れすることが可能なかばんが形成される。
【００２５】
図４は、図３の状態において傘の保持部に傘Ｕをセットした状態を示す図である。
【００２６】
傘Ｕは、シート状部材１００の折り曲げられるラインＬに沿って置かれる。この状態で、面状ファスナー２０５，２０７，２１７，２１９を張り合わせ、ホック２０３と２０９、およびホック２１５と２２１を係合させることで、傘Ｕは保持部（ラインＬの位置）に保持されることとなる。
【００２７】
図５は、保持部に傘が保持された状態のかばんの正面図である。
【００２８】
図４の状態で、対応する面状ファスナーとホックとを固定することで、傘Ｕが保持部に保持された状態で固定される。
【００２９】
図６は、保持部に傘を保持させずに面状ファスナーとホックとを係合させた状態を示すかばんの背面図である。
【００３０】
図５の状態においても、図６の状態においても、かばんの口から物を入れ、その物を保持させたり、その口から物を取り出すことが可能である。
【００３１】
なお、図５の状態においてはかばんの底部である保持部に傘が入っているため、かばんが物を収容することができる量は、図５の状態よりも図６の状態のほうが多くなる。
【００３２】
なお、図６の状態においてはかばんの口から傘Ｕを入れることも可能である。これにより、たとえば傘が濡れていない状態においては、図５に示されるように傘を保持しておき、濡れた傘を持ち運びたいときには、図６に示されるように傘Ｕをかばんの口から簡単に出し入れすることが可能となる。また、かばんの内側には防水シート（または吸水シート）２２５が貼られているため、傘からの水がかばんの外にしみ出すことが防止される。
【００３３】
図７は、本実施の形態におけるかばんを他のかばんＢに取付けた状態を示す図である。ホック１０７とホック１１１とを係合させることで、持ち手１０５にループが形成される。形成された持ち手のループを他のかばんＢの持ち手Ｈに係合させることで、他のかばんＢに本実施の形態におけるかばんを取付けることが可能となる。
【００３４】
すなわち、利用者は濡れた傘Ｕを本実施の形態におけるかばんの口に入れることで、傘Ｕを容易に持ち歩くことが可能となり、かつ必要となったときに傘Ｕを簡単に取り出すことが可能となる。
【００３５】
図８は、図５の状態からシート状部材１００を傘Ｕを中心として巻いた後に、シート状部材１００を固定した図である。
【００３６】
この図においては、傘Ｕを中心としてシート状部材１００が巻かれた後に、かばんの持ち手１０５の先端に取付けられたホック１０７と、ホック１０３とが係合する。これにより利用者は、通常の折りたたみ傘のカバーのような形状で傘とかばんとを同時に持ち歩くことが可能となる。
【００３７】
［第２の実施の形態］
【００３８】
図９は、本発明の第２の実施の形態におけるかばんにおいて、シート状部材４００が折り曲げられていない状態を示す平面図である。
【００３９】
第２の実施の形態におけるかばんの基本的な構成は、第１の実施の形態におけるそれと同様である。
【００４０】
図に示されるように、シート状部材４００のかばんの内側を構成する部分には、以下の部材が取付けられている。すなわち、かばんの側部を構成するラインに沿って面状ファスナー４０１，４０５，４０７，４１１，４１３，４１７，４１９，４２３と、ホック４０３，４０９，４１５，４２１とが取付けられている。面状ファスナー４０１と面状ファスナー４１１とはそのいずれか一方が鍵状であり、他方がループ状である。面状ファスナー４１３と面状ファスナー４２３とに関しても同様である。また、面状ファスナー４０５と面状ファスナー４０７との関係、面状ファスナー４１７と面状ファスナー４１９との関係も同様である。
【００４１】
かばんの内側には、防水シート（または吸水シート）４２５が貼りつけられている。
【００４２】
また、ホック４０３とホック４０９とは互いに係合することが可能な形状を示している。ホック４１５とホック４２１との関係も同様である。
【００４３】
このように、シート状部材４００のかばんの内側を構成する部分には、図３と同様の折り曲げラインを中心として、対称に面状ファスナーとホックとが取付けられているため、それぞれの面状ファスナーとホックとを対応させて固定することで、シート状部材４００が折り曲げられ、その口から物を出し入れすることが可能なかばんが形成される。
【００４４】
また、かばんの口が形成される部分には、少なくとも１つの袋部材４２９が形成されている。袋部材４２９の口の部分を閉じて固定するためのホック４３３が取り付けられている。
【００４５】
かばんの口が形成される部分には、持ち手３０５ａ，３０５ｂが取付けられている。
【００４６】
図１０は、図９のシート状部材の裏面を示す平面図である。
【００４７】
袋部材４２９が形成される部分に、ボタン４２７が設けられている。ボタン４２７には、持ち手３０５ａ，３０５ｂの先端を引っかけることが可能である。
【００４８】
図１１は、図９において袋部材４２９の口を広げた状態を示す平面図である。
【００４９】
図に示されるように、袋部材４２９の口から物を出し入れすることが可能となっている。
【００５０】
図１２は、第２の実施の形態において、保持部に傘を保持させずに面状ファスナーとホックとを係合させた状態を示すかばんの正面図である。
【００５１】
図１２の状態において、かばんの口から物を入れ、その物を保持させたり、その口から物を取り出すことが可能である。また、袋部材４２９の口から物を出し入れすることも可能となっている。かばんの収納スペースが符号４３１で示されている。
【００５２】
なお本実施の形態においても、図４および５のようにかばんの底部である保持部に傘を保持することが可能である。
【００５３】
なお、図１２の状態においてはかばんの口（または袋部材４２９の口）から傘Ｕを入れることも可能である。これにより、たとえば傘が濡れていない状態においては、かばんの底部である保持部に傘を保持しておき、濡れた傘を持ち運びたいときには、図１２に示されるように傘Ｕをかばんの口（または袋部材４２９の口）から簡単に出し入れすることが可能となる。また、かばんの内側には防水シート（または吸水シート）４２５が貼られているため、傘からの水がかばんの外にしみ出すことが防止される。
【００５４】
図１３は、第２の実施の形態において、シート状部材４００を傘Ｕを中心として巻いた後に、シート状部材４００を固定した状態を示す図である。
【００５５】
この図においては、傘Ｕがかばんの底部である保持部に保持され、傘Ｕを中心としてシート状部材４００が巻かれた後に、かばんの持ち手３０５ａ，３０５ｂの先端部が、ボタン４２７に引っかけられる。これにより利用者は、通常の折りたたみ傘のカバーのような形状で傘とかばんとを同時に持ち歩くことが可能となる。
【００５６】
［その他］
【００５７】
上述のかばんによると、傘を縦にした状態（図６）でも横にした状態（図５）でも持ち運ぶことが可能である。
【００５８】
なお、かばんの口の部分に沿って、針金や形状記憶合金製のワイヤーなどを固定することとしてもよい。この場合、例えば針金を曲げた状態で固定することができるので、かばんの口を若干開いた状態で固定することができる。このようにすると、傘の出し入れがしやすくなる。
【００５９】
なお、上記実施の形態は、すべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００６０】
１００  シート状部材
１０３，１０７，１１１，２０３，２０９，２１５，２２１  ホック
１０５，Ｈ  持ち手
１０９  タグ
２０１，２０５，２０７，２１１，２１３，２１７，２１９，２２３  面状ファスナー
３０５ａ，３０５ｂ  持ち手
４００  シート状部材
４０１，４０５，４０７，４１１，４１３，４１７，４１９，４２３  面状ファスナー
４０３，４０７，４１１，４０３，４０９，４１５，４２１  ホック
４２７  ボタン
４３３  ホック
Ｕ  傘
【図１】
2010240331.tif 000003
【図２】
2010240331.tif 000004
【図３】
2010240331.tif 000005
【図４】
2010240331.tif 000006
【図５】
2010240331.tif 000007
【図６】
2010240331.tif 000008
【図７】
2010240331.tif 000009
【図８】
2010240331.tif 000010
【図９】
2010240331.tif 000011
【図１０】
2010240331.tif 000012
【図１１】
2010240331.tif 000013
【図１２】
2010240331.tif 000014
【図１３】
2010240331.tif 000015